(57)【特許請求の範囲】
【請求項１】
被写体からの光を光電変換して画像信号を生成する撮像手段と、
前記撮像手段から出力される画像信号をＡ／Ｄ変換するＡ／Ｄ変換手段と、
前記Ａ／Ｄ変換手段によるＡ／Ｄ変換後の画像データの一部を切出すことでズーム効果を得る電子ズーム手段と、
前記Ａ／Ｄ変換手段によるＡ／Ｄ変換後の画像データを、前記画像データが有するフィルタ配列を保持したまま、前記Ａ／Ｄ変換後の画像データの画素数よりも小さな第１の画素数に縮小変換する第１のデータ変換手段と、
前記第１のデータ変換手段により変換された画像データを可逆圧縮する圧縮手段と、
前記圧縮手段により圧縮された画像データを記録媒体に記録する記録手段と、を備え、
前記第１のデータ変換手段は、前記電子ズーム手段による切出し画素数が前記第１の画素数以下である場合には、縮小変換を行わないことを特徴とする撮像装置。
【請求項２】
前記第１のデータ変換手段は、前記電子ズーム手段による切出し画素数が前記第１の画素数より大きい場合には前記第１の画素数への縮小変換を行うこと特徴とする請求項１に記載の撮像装置。
【請求項３】
前記第１のデータ変換手段は、撮影時の撮影感度に応じて、前記第１の画素数を決定することを特徴とする請求項１または２に記載の撮像装置。
【請求項４】
被写体からの光を光電変換して画像信号を生成する撮像手段と、前記撮像手段から出力される画像信号をＡ／Ｄ変換するＡ／Ｄ変換手段と、画像データを記録する記録手段と、を備える撮像装置の制御方法であって、
前記Ａ／Ｄ変換手段によるＡ／Ｄ変換後の画像データの一部を切出すことでズーム効果を得る電子ズームステップと、
前記電子ズームステップによる切出し画素数が前記Ａ／Ｄ変換後の画像データの画素数よりも小さな第１の画素数より大きい場合には、前記Ａ／Ｄ変換手段によるＡ／Ｄ変換後の画像データを、前記画像データが有するフィルタ配列を保持したまま、前記第１の画素数に縮小変換し、前記電子ズームステップによる切出し画素数が前記第１の画素数以下である場合には、前記Ａ／Ｄ変換後の画像データを縮小変換しないようにする第１のデータ変換ステップと、
前記第１のデータ変換ステップにより変換された画像データを可逆圧縮する圧縮ステップと、
前記圧縮ステップにより圧縮された画像データを記録媒体に記録する記録ステップと、を備えることを特徴とする撮像装置の制御方法。
【請求項５】
請求項４に記載の撮像装置の制御方法の各ステップをコンピュータに実行させるためのコンピュータプログラム。
【請求項６】
請求項４に記載の撮像装置の制御方法の各ステップをコンピュータに実行させるためのコンピュータプログラムを記憶したコンピュータ読み取り可能な記憶媒体。
【発明の詳細な説明】
【技術分野】
【０００１】
本発明は、撮像装置、撮像装置の制御方法、コンピュータプログラム及び記憶媒体に関する。
【背景技術】
【０００２】
電子カメラ等の撮像装置において、撮像素子によって生成された画像信号をデジタルデータにＡ／Ｄ変換し、多くの場合は必要な画像処理を施した後にＪＰＥＧ符号化等の非可逆圧縮処理を行い、記録媒体へ記録することが行われている。
【０００３】
また、画像品質を劣化させることなく画像データを記録したい場合には、可逆圧縮処理を行い、ＲＡＷデータとして記録媒体へ記録することが行われている。
【０００４】
【特許文献１】特開２００２−８４５４７号公報
【発明の開示】
【発明が解決しようとする課題】
【０００５】
ところで、近年の半導体技術の進歩により、撮像素子の高解像度化が急速に進み、記録される画像データのファイルサイズも増加する傾向にある。
【０００６】
しかしながら、Ｌ版サイズ等に印刷して楽しむことを目的とする多くのユーザにとっては、３００万画素程度の画素数があれば十分である。１０００万画素を超える画素数の画像データは、情報として過剰であり、ファイルサイズの増加を引き起こす要因ともなる。さらに、高解像度化に伴う画素の微細化の影響により、記録される画像データに対するランダムノイズの影響も顕著になりつつある。これらの問題は、ＲＡＷデータとして記録する場合においても同様に発生する問題である。
【０００７】
特許文献１には、補間処理等の画像処理を行う前に、撮像素子から出力された画像データを、フィルタ配列を保持したまま予めサイズ変換を行うことで、その後の画像処理時間、リサイズ処理時間及びメモリ使用量等の削減効果があるとする技術が開示されている。
【０００８】
本発明は、電子ズームの倍率や撮影時の設定感度に応じて適切に縮小変換を行うことができるようにすることを目的とする。
【課題を解決するための手段】
【０００９】
本発明の撮像装置は、被写体からの光を光電変換して画像信号を生成する撮像手段と、前記撮像手段から出力される画像信号をＡ／Ｄ変換するＡ／Ｄ変換手段と、前記Ａ／Ｄ変換手段によるＡ／Ｄ変換後の画像データの一部を切出すことでズーム効果を得る電子ズーム手段と、前記Ａ／Ｄ変換手段によるＡ／Ｄ変換後の画像データを、前記画像データが有するフィルタ配列を保持したまま、前記Ａ／Ｄ変換後の画像データの画素数よりも小さな第１の画素数に縮小変換する第１のデータ変換手段と、前記第１のデータ変換手段により変換された画像データを可逆圧縮する圧縮手段と、前記圧縮手段により圧縮された画像データを記録媒体に記録する記録手段と、を備え、前記第１のデータ変換手段は、前記電子ズーム手段による切出し画素数が前記第１の画素数以下である場合には、縮小変換を行わないことを特徴とする。
本発明の撮像装置の制御方法は、被写体からの光を光電変換して画像信号を生成する撮像手段と、前記撮像手段から出力される画像信号をＡ／Ｄ変換するＡ／Ｄ変換手段と、画像データを記録する記録手段と、を備える撮像装置の制御方法であって、前記Ａ／Ｄ変換手段によるＡ／Ｄ変換後の画像データの一部を切出すことでズーム効果を得る電子ズームステップと、前記電子ズームステップによる切出し画素数が前記Ａ／Ｄ変換後の画像データの画素数よりも小さな第１の画素数より大きい場合には、前記Ａ／Ｄ変換手段によるＡ／Ｄ変換後の画像データを、前記画像データが有するフィルタ配列を保持したまま、前記第１の画素数に縮小変換し、前記電子ズームステップによる切出し画素数が前記第１の画素数以下である場合には、前記Ａ／Ｄ変換後の画像データを縮小変換しないようにする第１のデータ変換ステップと、前記第１のデータ変換ステップにより変換された画像データを可逆圧縮する圧縮ステップと、前記圧縮ステップにより圧縮された画像データを記録媒体に記録する記録ステップと、を備えることを特徴とする。
本発明のコンピュータプログラムは、前記撮像装置の制御方法の各ステップをコンピュータに実行させることを特徴とする。
本発明の記憶媒体は、前記撮像装置の制御方法の各ステップをコンピュータに実行させるためのコンピュータプログラムを記憶したことを特徴とする。
【発明の効果】
【００１０】
本発明によれば、所望の電子ズーム処理に必要な画像データを、多くのユーザにとって必要十分といえる画像サイズに縮小変換してユーザに提供することができ、ラインダムノイズの低減及びファイルサイズの削減が可能となる。
また、縮小変換にならない場合には変換を行わないようにすることで、拡大変換により逆にランダムノイズを増大させるのを防ぐことができる。
また、電子ズーム倍率に応じて変倍方法を切り替えることにより、低倍率側ではランダムノイズを低減させた画像データを、高倍率側では従来の画像データに対してより解像度の高い画像データを提供することができる。
【００１１】
別の本発明によれば、撮影時の設定感度に応じて、ランダムノイズ低減効果に対して最適な画像サイズに縮小変換してユーザに提供することができ、ラインダムノイズの低減及びファイルサイズの削減が可能となる。
【発明を実施するための最良の形態】
【００１２】
以下、添付図面を参照して、本発明の好適な実施形態について説明する。
（第１の実施形態）
図１は、本発明の実施形態に係る撮像装置１００の構成を示す図である。同図において、１０はズーム機構や絞り機構等を有するレンズユニットである。１２は光学像を電気信号に変換する撮像素子（例えばＣＣＤ素子）である。１４は撮像素子１２のアナログ出力信号を電気信号に変換するＡ／Ｄ変換器である。１６は撮像素子１２、Ａ／Ｄ変換機１４、Ｄ／Ａ変換器３０にクロック信号や制御信号を供給するタイミング発生回路であり、システム制御回路５０により制御される。
【００１３】
１８はメモリ制御回路であり、Ａ／Ｄ変換器１４、画像処理回路２０、メモリ２２、記録媒体２４、圧縮・伸長回路２６、Ｄ／Ａ変換器３０、ＲＡＷデータ用変倍回路（変倍回路Ａ）２８、ＹＵＶデータ用変倍回路（変倍回路Ｂ）２９の間でデータ転送制御を行う。Ａ／Ｄ変換器１４から出力されるデータは、画像処理回路２０及びメモリ制御回路１８を介して、或いは、画像処理回路２０を介することなくメモリ制御回路１８のみを介して、メモリ２２もしく記録媒体２４に書き込まれる。
【００１４】
２０は画像処理回路であり、Ａ／Ｄ変換器１４から出力されるデータ、或いは、メモリ制御回路１８から出力されるデータに対して、画像補間処理や色変換処理等の画像再現処理を施し、ＲＡＷデータからＹＵＶデータに変換する。
【００１５】
２２は撮像装置１００に内蔵されたメモリであり、撮影した静止画像や動画像の画像処理や圧縮・伸長時の作業領域として使用したり、表示画像用として使用したりする。メモリ２２は、所定枚数の静止画像データや所定時間の動画像データを格納するに十分な記録容量を備えている。また、メモリ２２は、システム制御回路５０の作業領域としても使用されうる。
【００１６】
２４は圧縮された画像データを記録するメモリカードやハードディスク等の記録媒体である。記録媒体２４は、半導体メモリや磁気ディスク等から構成され、撮像装置１００に内蔵されているものもあれば、着脱可能なものもある。
【００１７】
２６は圧縮・伸長回路であり、例えばＪＰＥＧ圧縮により画像データを圧縮或いは伸長する。圧縮・伸長回路２６は、記録媒体２４に格納された画像データを読み込んで、圧縮処理或いは伸長処理を行い、処理済みのデータをメモリ２２に書き込む。
【００１８】
２８はＲＡＷデータ用変倍回路（変倍回路Ａ）であり、Ａ／Ｄ変換器１４から出力され、メモリ２２に書き込まれた画像データをメモリ制御回路１８を介して読み込み、撮像素子１２から出力されるフィルタ配列を保持したまま、ＲＡＷデータの変倍処理を行う。
【００１９】
２９はＹＵＶデータ用変倍回路（変倍回路Ｂ）であり、画像処理回路２０から出力され、メモリ２２に書き込まれた画像データをメモリ制御回路１８を介して読み込み、ＹＵＶデータの変倍処理を行う。
【００２０】
３０はＤ／Ａ変換器である。３２は画像表示部であり、例えばＴＦＴ ＬＣＤにより構成される。メモリ２２に書き込まれた表示用の画像データは、Ｄ／Ａ変換器３０を介して画像表示部３２に供給され、これにより画像が表示される。画像表示部３２を用いて、撮像にかかる画像を逐次表示することにより、電子ファインダ機能を実現することができる。また、画像表示部３２には、撮影に必要な情報、例えば合焦表示、手振れ警告表示、フラッシュ充電表示、シャッタースピード表示、絞り値表示、露出補正表示等を行うことができる。
【００２１】
３４は光学ファインダであり、光学ファインダ３４を利用することにより、画像表示部３２を利用した電子ファインダ機能を使用することなく、撮影を行うことができる。また、光学ファインダ３４内には、画像表示部３２を介して表示する各種撮影用の情報表示及び警告表示等を行うための素子が設置されている。
【００２２】
３６はフラッシュであり、ＡＦ補助光の投光機能やフラッシュ調光機能も有する。３８はレンズ制御部であり、システム制御回路５０の指示に従いレンズユニット１０の焦点制御、ズーム制御、絞り値、シャッタースピードの制御等を行う。
【００２３】
４０はモードダイヤルスイッチであり、これにより操作者は、電源オフ、自動撮影モード、マニュアル撮影モード、パノラマ撮影モード、再生モード、動画モード等の各機能モードを切り替えることができる。
【００２４】
４２はシャッタースイッチであり、シャッターボタン４４の操作途中（半押し）で、ＡＦ（オートフォーカス）処理、ＡＥ（自動露出）処理、ＡＷＢ（オートホワイトバランス）処理、ＥＦ（フラッシュプリ発光）処理等の動作の開始を指示する。また、シャッタースイッチ４２は、シャッターボタン４４の操作完了（全押し、即ち操作者指示）で、撮像素子１２から出力される信号をＡ／Ｄ変換器１４によりデジタル信号に変換し、これをメモリ制御回路１８を介してメモリ２２に格納する露光処理、メモリ制御回路１８を介して変倍回路Ａ２８で行うＲＡＷデータの変倍処理、メモリ制御回路１８を介して画像処理回路２０において行う画像再現処理、メモリ制御回路１８を介して変倍回路Ｂ２９において行うＹＵＶデータの変倍処理、メモリ制御回路１８を介して圧縮・長回路２６において行う圧縮処理、メモリ制御回路１８を介してメモリ２２から記録媒体２４へと圧縮された画像データを書き込む記録処理の、一連の処理の開始を指示する。
【００２５】
４６は表示切替スイッチである。撮影時においては、表示切替スイッチ４６が押されると、画像表示部３２を利用した電子ファインダ機能のＯＮ／ＯＦＦ制御をシステム制御回路５０に指示する。また、再生時においては、表示切替スイッチ４６が押されると、情報表示付き再生機能のＯＮ／ＯＦＦ制御をシステム制御回路５０に指示する。
【００２６】
４８はズームレバーであり、システム制御回路５０を介して、レンズユニット１０へのズーム動作の指示、或いは、電子ズーム倍率をシステム制御回路５０に指示する。
【００２７】
５０は撮像装置１００を制御するシステム制御回路である。システム制御回路５０は、画像処理回路２０の処理パラメータ、圧縮・伸長回路２６の圧縮パラメータを指示し、ズームレバー４８の指示に従い、変倍回路Ａ２８の変倍パラメータ、変倍回路Ｂ２９の変倍パラメータ等の指定を行う。５２はシステム制御回路５０が動作する際に参照する定数、変数、プログラム等を記憶するメモリである。
【００２８】
６０は電源制御部であり、電池検出回路、ＤＣ−ＤＣコンバータ、通電するブロックを切り替えるスイッチ回路等により構成される。電源制御部６０は、電池装着の有無、電池の種類及び電池残量を検出し、その検出結果及びシステム制御回路５０の指示に基づいてＤＣ−ＤＣコンバータを制御して、必要な電圧を必要な期間だけ各部に供給する。
【００２９】
６２はコネクタである。６４は電源部であり、アルカリ電池やリチウム電池等の一次電池、Ｌｉ電池等の二次電池、ＡＣアダプタ等で構成される。
【００３０】
図２は、ＲＡＷデータ用変倍回路２８における変倍率が、水平方向に１／２、垂直方向に１／２である場合を図示したものである。撮像素子１２から出力されるフィルタ配列を保持するため、ＲＡＷデータ用変倍回路２８での演算は、以下のようになる。
【００３１】
【数１】
0004769567.tif 000002
【００３２】
また、前記演算により、本来の輝度レベルに対して、高周波成分として加算されるランダムノイズが平均化されるので、極小画素によるランダムノイズの低減効果を得ることができる。
【００３３】
図３は、センサから出力される最大画素数と記録メディアに記録される最大画素数との関係、電子ズーム倍率とＲＡＷデータの変倍率との関係、並びに、後述する第２の実施形態におけるＲＡＷデータの変倍率とＹＵＶデータの変倍率との関係を示したものである。
【００３４】
図３（ａ）は、センサから出力されるＲＡＷデータの画素数と、電子ズーム時に切り出されるＲＡＷデータの画素数とを示したものであり、ここでは最大１２００万画素の有効画素数をもつセンサを例に示している。
【００３５】
図３（ｂ）は、記録メディアに記録されるＲＡＷデータの画素数を示したもの、図３（ｃ）は、記録メディアに記録される最大画素数のＪＰＥＧデータの画素数を示したものであり、いずれも最大画素数を３００万画素とした場合の例を示している。
【００３６】
既述したとおり、多くのユーザにとって必要な画素数は３００万画素程度と言われており、本実施形態では、有効画素数１２００万画素のセンサを使用して、記録時の最大画素数が３００万画素とした場合を例にして説明を行う。
【００３７】
図３（ａ）、（ｂ）に図示した電子ズーム倍率とＲＡＷデータの変倍率との関係を以下に示す。
【００３８】
【表１】
0004769567.tif 000003
【００３９】
ＲＡＷデータの拡大変換の場合には、特定画素のランダムノイズを増大させるおそれがある。そこで、ＲＡＷデータの変倍率が拡大となる領域、すなわち電子ズーム倍率４．００の場合には、ＲＡＷデータの変倍率を１／１とし、記録ＲＡＷサイズは電子ズームによる切出しＲＡＷサイズ（１０２４×７６８）と等価とする。
【００４０】
これにより、画像数が非常に多いセンサを使用した場合であっても、ユーザにとって必要十分な画素数のＲＡＷデータとして記録することが可能になる。さらに、電子ズーム倍率の低倍率側では、ランダムノイズの影響を低減させる効果を得ることができる。
【００４１】
図４は、本実施形態に係る撮像装置１００での画像処理・記録処理を説明するためのフローチャートである。システム制御回路５０は、ズームレバー４８によって指示される電子ズーム倍率に応じて、ＲＡＷデータの変倍処理が必要か否かを判断する（ステップＳ１０１）。
【００４２】
前記ステップＳ１０１においてＲＡＷデータの変倍処理が必要であると判断した場合は、まずＲＡＷデータ用変倍回路２８の変倍パラメータの設定を行う（ステップＳ１０２）。そして、Ａ／Ｄ変換器１４を介して取得した画像データを、メモリ制御回路１８を介してメモリ２２からＲＡＷデータ用変倍回路２８に読み込み、ＲＡＷデータの変倍処理を行った上でメモリ２２に書き込んだ後（ステップＳ１０３）、ステップＳ１０４に移行する。なお、前記ステップＳ１０１においてＲＡＷデータの変倍処理が必要でないと判断した場合は、そのままステップＳ１０４に移行する。
【００４３】
システム制御回路５０は、電子ズーム倍率に応じて変倍処理されたＲＡＷデータを、メモリ制御回路１８を介して圧縮・伸長回路２６に読み込み、可逆圧縮のためのＤＰＣＭ変換及びハフマン符号化等の可逆圧縮処理を行って、メモリ２２に書き込む（ステップＳ１０４）。
【００４４】
その後、システム制御回路５０は、メモリ２２に書き込まれた圧縮データストリームの記録媒体２４への書き込み処理を行う（ステップＳ１０５）。
【００４５】
（第２の実施形態）
次に、第２の実施形態について説明する。なお、撮像装置１００の基本構成は上記第１の実施形態で説明したものと同様であり、ここではその詳細な説明を省略する。
【００４６】
図３（ａ）、（ｂ）、（ｃ）に図示した電子ズーム倍率とＲＡＷデータの変倍率とＹＵＶデータの変倍率との関係を以下に示す。
【００４７】
【表２】
0004769567.tif 000004
【００４８】
ＲＡＷデータの拡大変換の場合には、特定画素のランダムノイズを増大させるおそれがある。そこで、ＲＡＷデータの変倍率が拡大となる領域、すなわち電子ズーム倍率４．００の場合には、ＲＡＷデータの変倍率を１／１とし、各種補間処理、色処理等の画像再現処理が実施されたＹＵＶデータに対して「×２／１」の拡大変換を行う。
【００４９】
これにより、画素数が非常に多いセンサを使用した場合であっても、ユーザにとって必要十分な画像数のＪＰＥＧデータとして記録することが可能になる。さらに、電子ズーム倍率が低倍率側では、ランダムノイズの影響を低減させる効果を得ることができる。
【００５０】
また、有効画素数３００万画素のセンサを使用した場合において、電子ズーム倍率４．００の場合のＹＵＶ変倍率は「×４／１」の拡大変換となるのに対して、本実施形態においてはＹＵＶ変倍率が「×２／１」の拡大変換となるので、より解像感の高い画像をユーザに提供することが可能になる。
【００５１】
図５は、本実施形態に係る撮像装置１００での画像処理・記録処理を説明するためのフローチャートである。システム制御回路５０は、ズームレバー４８によって指示される電子ズーム倍率に応じて、ＲＡＷデータの変倍処理が必要か否かを判断する（ステップＳ２０１）。
【００５２】
前記ステップＳ２０１においてＲＡＷデータの変倍処理が必要であると判断した場合は、まずＲＡＷデータ用変倍回路２８の変倍パラメータの設定を行う（ステップＳ２０２）。そして、Ａ／Ｄ変換器１４を介して取得した撮影データを、メモリ制御回路１８を介してメモリ２２からＲＡＷデータ用変倍回路２８に読み込み、ＲＡＷデータの変倍処理を行った上でメモリ２２に書き込んだ後（ステップＳ２０３）、ステップＳ２０４に移行する。なお、前記ステップＳ２０１においてＲＡＷデータの変倍処理が必要でないと判断した場合は、そのままステップＳ２０４に移行する。
【００５３】
続いて、システム制御回路５０は、記録モードに応じて画像処理回路２０の処理パラメータ等の設定を行う（ステップＳ２０４）。そして、メモリ２２に書き込まれたＲＡＷデータを、メモリ制御回路１８を介して画像処理回路２０に読み込み、前記ステップＳ２０４で設定された処理パラメータに従って色変換処理や補間処理等の画像再現処理を行い、メモリ制御回路１８を介してメモリ２２に書き込む（ステップＳ２０５）。
【００５４】
続いて、システム制御回路５０は、ズームレバー４８によって指示される電子ズーム倍率に応じて、ＹＵＶデータの変倍処理が必要か否かを判断する（ステップＳ２０６）。
【００５５】
前記ステップＳ２０６においてＹＵＶデータの変倍処理が必要であると判断した場合は、まずＹＵＶデータ用変倍回路２９の変倍パラメータの設定を行う（ステップＳ２０７）。そして、所望の画像再現処理が施された画像データであるＹＵＶデータを、メモリ制御回路１８を介してメモリ２２からＹＵＶデータ用変倍回路２９に読み込み、ＹＵＶデータの変倍処理を行った上でメモリ２２に書き込んだ後（ステップＳ２０８）、ステップＳ２０９に移行する。なお、前記ステップＳ２０６においてＹＵＶデータの変倍処理が必要でないと判断した場合は、そのままステップＳ２０９に移行する。
【００５６】
続いて、システム制御回路５０は、所望の画像処理及び電子ズーム倍率に応じて変倍処理された画像データを、メモリ制御回路１８を介して圧縮・伸長回路２６に読み込み、非可逆圧縮のためのＤＣＴ変換・量子化処理及びハフマン符号化等の非可逆圧縮処理を行って、メモリ２２に書き込む（ステップＳ２０９）。
【００５７】
その後、システム制御回路５０は、メモリ２２に書き込まれた圧縮データストリームの記録媒体２４への書き込み処理を行う（ステップＳ２１０）。
【００５８】
（第３の実施形態）
次に、第３の実施形態について説明する。第３の実施形態は、ＩＳＯ感度に応じてＲＡＷデータの縮小変換を行うようにした例である。なお、撮像装置１００の基本構成は上記第１の実施形態で説明したものと同様であり、ここではその詳細な説明を省略する。
【００５９】
撮影時におけるＩＳＯ感度とＲＡＷデータの変倍率と最大記録可能画像サイズ（ＪＰＥＧサイズ）との関係を以下に示す。
【００６０】
【表３】
0004769567.tif 000005
【００６１】
システム制御回路５０は、モードダイヤル４０等によって指示される撮影時のＩＳＯ感度に応じて、最大記録可能画像サイズの判断を行い、最大記録可能画像サイズに応じて、ＲＡＷデータ用変倍回路２８の変倍パラメータの設定を行う。
【００６２】
一般に、撮像素子から出力される画像データに発生するランダムノイズの影響は、ＩＳＯ感度が高くなるにつれて大きくなる。すなわち、本発明によるＲＡＷデータの縮小変換によるランダムノイズ低減効果は、高感度撮影時において特に大きな効果を奏し、低感度撮影時においては、ＲＡＷデータの縮小変換によるランダムノイズ低減の効果を期待するまでもない場合がある。
【００６３】
これにより、画素数が非常に多いセンサを使用した場合において、撮影時のＩＳＯ感度に応じて、ランダムノイズ低減効果に対して最適な画像サイズに変換して画像データをユーザに提供することが可能になる。
【００６４】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００６５】
この場合、記憶媒体から読み出されたプログラムコード自体が上述した実施形態の機能を実現することになり、プログラムコード自体及びそのプログラムコードを記憶した記憶媒体は本発明を構成することになる。
【００６６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６７】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００６８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００６９】
【図１】実施形態に係る撮像装置１００の構成を示す図である。
【図２】ＲＡＷデータの縮小変換の一例を説明するための図である。
【図３】センサから出力される最大画素数と記録メディアに記録される最大画素数との関係、電子ズーム倍率とＲＡＷデータの変倍率との関係、並びに、ＲＡＷデータの変倍率とＹＵＶデータの変倍率との関係を説明するための図である。
【図４】第１の実施に係る撮像装置の画像処理・記録処理を説明するためのフローチャートである。
【図５】第２の実施に係る撮像装置の画像処理・記録処理を説明するためのフローチャートである。
【符号の説明】
【００７０】
１０：レンズユニット
１２：撮像素子
１４：Ａ／Ｄ変換器
１６：タイミング発生回路
１８：メモリ制御回路
２０：画像処理回路
２２：メモリ
２４：記録媒体
２６：圧縮・伸長回路
２８：ＲＡＷデータ用変倍回路
２９：ＹＵＶデータ用変倍回路
３０：Ｄ／Ａ変換器
３２：画像表示部
３４：光学ファインダ
３６：フラッシュ
３８：レンズ制御
４０：モードダイヤル
４２：シャッタースイッチ
４４：シャッターボタン
４６：表示切替スイッチ
４８：ズームレバー
５２：メモリ
６０：電源制御
６２：コネクタ
６４：電源部
１００：撮像装置
【図１】
0004769567.tif 000006
【図２】
0004769567.tif 000007
【図３】
0004769567.tif 000008
【図４】
0004769567.tif 000009
【図５】
0004769567.tif 000010